(57)【特許請求の範囲】
【請求項１】
ハンドル本体（１）をプッシュプルすることにより、ラッチ（５ａ）を錠前（５）内に没入させて開錠させる形式のプッシュプル錠用のドアハンドルにおいて、
ハンドル本体（１）が、ドア（Ｄ）の開閉側近傍からドア（Ｄ）の幅の５０〜９０％まで延びる棒状体により構成され、
ドア（Ｄ）の表面に取り付けられた固定プレート（３０，４０）と、ドア（Ｄ）に対し平行に設けられた心棒(３１，４１)及び可動心棒（４３，３３）により固定プレート（３０，４０）に揺動自在に取り付けられた揺動プレート(３２，４２)と、固定プレート（３０，４０）を貫通して錠前（５）のケーシング(５ｂ)内に突出し、揺動プレート(３２，４２)と共に揺動する押金(３４，４４)と、揺動プレート（３２，４２）に取り付けられたドアハンドルの取付足金具（２）と、取付足金具（２）に取り付けられたハンドル本体（１）とを有し、ハンドル本体（１）をプッシュプルして揺動プレート(３２，４２)を揺動させることにより、押金(３４，４４)の先で錠前（５）の摺動する操作部(５ｃ)を操作し、ラッチ(５ａ)を錠前（５）内に没入可能としており、
ハンドル本体（１）におけるドア（Ｄ）の支点側部分に取り付けられる取り付け部材（６）は、ドア（Ｄ）の内外面に取り付けるための取付部（６０）と、ハンドル本体（１）に取付けるための受け部（６２）とを有し、受け部（６２）には長孔（６４）が形成された支持部（６３）を設けてなり、
ハンドル本体（１）の支点側部分の空隙に支持部（６３）がハンドル長手方向にスライド可能となるよう取り付けられており、
取り付け部材（６）に対するハンドル本体（１）の支点側部分の取り付けは、ドア（Ｄ）の開閉側のハンドル本体（１）の動きを吸収し、取り付け部材（６）に対してハンドル本体（１）をハンドル長手方向にスライド可能にしてあることを特徴とするプッシュプル錠用のドアハンドル。
【請求項２】
棒状体の断面形状は、曲面形状のみで形成されたものであることを特徴とする請求項１に記載のプッシュプル錠用のドアハンドル。
【請求項３】
押金（３４，４４）が、心棒（３１，４１）に一端が貫通されて取り付けられたＬ字形をしたものであり、さらに押金（３４，４４）の揺動プレート（３２，４２）側の面が揺動プレート（３２，４２）と接するようになっていることを特徴とする請求項１又は請求項２に記載のプッシュプル錠用のドアハンドル。
【発明の詳細な説明】
【技術分野】
【０００１】
この発明は、手や眼が不自由であっても容易に開閉できるプッシュプル錠用のドアハンドルに関するものである。
【背景技術】
【０００２】
近年、日本で高齢化社会となり、高齢者を保護するため、住宅内部において様々な工夫がなされている。
【０００３】
例えば、高齢者の場合、室内歩行中に蹴躓いて転倒するという事態が生じ、これを解決するため室内に極力段差が無い様にした住宅が市場に出てきている。
【０００４】
ところで、高齢者によっては、ハンドルを手で掴んで回すという行為すら困難であるという人、更には指が動かずハンドルさえ掴めない人もいる。他方、盲目の人の場合、ドアのある所まで行くことができても、咄嗟にハンドル操作が困難な場合がある（例えば特許文献１）。
【０００５】
これらの人の場合、例えば火事等の災害が起きたとき、単独で室外に逃げることもできないという最悪の事態が起き得る。なお、高齢者だけでなく手が不自由な人にとっても同様である。
【０００６】
したがって、建築業界及び高齢者等の間では、手や眼に不自由な部分があっても円滑に開閉できるプッシュプル錠用のドアハンドルが開発されることを待ち望んでいる。
【特許文献１】特開２００３−１７６６４６号公報
【発明の開示】
【発明が解決しようとする課題】
【０００７】
そこで、この発明では、手や眼が不自由であっても、容易にドアが開閉できるプッシュプル錠用のドアハンドルを提供することを課題とする。
【課題を解決するための手段】
【０００８】
（請求項１記載の発明）
この発明のプッシュプル錠用のドアハンドルは、ハンドル本体１をプッシュプルすることにより、ラッチ５ａを錠前５内に没入させて開錠させる形式のプッシュプル錠用のドアハンドルにおいて、ハンドル本体１が、ドアＤの開閉側近傍からドアＤの幅の５０〜９０％まで延びる棒状体により構成され、ドアＤの表面に取り付けられた固定プレート３０，４０と、ドアＤに対し平行に設けられた心棒３１，４１及び可動心棒４３，３３により固定プレート３０，４０に揺動自在に取り付けられた揺動プレート３２、４２と、固定プレート３０，４０を貫通して錠前５のケーシング５ｂ内に突出し、揺動プレート３２，４２と共に揺動する押金３４，４４と、揺動プレート３２，４２に取り付けられたドアハンドルの取付足金具２と、取付足金具２に取り付けられたハンドル本体１とを有し、ハンドル本体１をプッシュプルして揺動プレート３２，４２を揺動させることにより、押金３４，４４の先で錠前５の摺動する操作部５ｃを操作し、ラッチ５ａを錠前５内に没入可能としており、ハンドル本体１におけるドアＤの支点側部分に取り付けられる取り付け部材６は、ドアＤの内外面に取り付けるための取付部６０と、ハンドル本体１に取付けるための受け部６２とを有し、受け部６２には長孔６４が形成された支持部６３を設けてなり、ハンドル本体１の支点側部分の空隙に支持部６３がハンドル長手方向にスライド可能となるよう取り付けられており、取り付け部材６に対するハンドル本体１の支点側部分の取り付けは、ドアＤの開閉側のハンドル本体１の動きを吸収し、取り付け部材６に対してハンドル本体１をハンドル長手方向にスライド可能にしたものである。
（請求項２記載の発明）
この発明は、上記請求項１記載の発明に関し、棒状体の断面形状は、曲面形状のみで形成されたものである。
（請求項３記載の発明）
この発明は、上記請求項１又は請求項２に記載の発明に関し、押金３４，４４が、心棒３１，４１に一端が貫通されて取り付けられたＬ字形をしたものであり、さらに押金３４，４４の揺動プレート３２，４２側の面が揺動プレート３２，４２と接するようになっているものである。
【０００９】
上記した発明のプッシュプル錠用のドアハンドルは、以下のような機能を有する。
（１）このドアハンドルは、プッシュプル操作によりドアＤを開閉できることから、ハンドルを掴んで回すことが困難である高齢者でも円滑に（プッシュプルの操作のみで）ドアの開閉ができる。  
（２）このドアハンドルは、ハンドルを掴まなくてもドアを開くことができる。すなわち、ハンドル本体１が、ドアＤの開閉側近傍からドアＤの幅の少なくとも半分まで延びる棒状体により構成され、ハンドル本体１におけるドアＤの支点側部分は取り付け部材８を介してドアＤに取り付けられており、前記取り付け部材８に対するハンドル本体１の支点側部分の取り付けは、ドアＤの開閉側のハンドル本体１の動きを吸収できるようにしてあるから、プッシュ側においては、ハンドルとなる棒状体に身体を押し当てるだけで、ドアＤを開状態にでき、また、プル側においては腕や肘を棒状体とドアＤ面との間に挿入し、その状態を維持しつつ引き出すだけで、ドアを開状態にできる。しかもハンドルとなる棒状体は両端支持されてドアにしっかりと取付けられているから、上記のような使用態様でも短期間で損傷するようなことはない。
（３）このドアハンドルでは、上述内容から、高齢者や目の不自由な人であっても、円滑にドアの開閉をすることができることになる。
【発明の効果】
【００１０】
この発明のドアによると、手や眼が不自由であっても、容易にドアが開閉できることになる。
【発明を実施するための最良の形態】
【００１１】
以下にこの発明のプッシュブル錠用のドアハンドルを実施するための最良の形態として実施例について詳しく説明する。
【実施例１】
【００１２】
図１は実施例１におけるプッシュブル錠用のドアハンドルＨの平面図、図２は前記プッシュブル錠用におけるドアハンドルＨの開閉部近傍の詳細図、図３は図２のＡ−Ａ断面図、図４は図１のＢ−Ｂ断面図、図５はドアＤに設けた取り付け部材８の側面図、図６はドアＤに設けた取り付け部材８，８の上面図、
図７はドアハンドル１をドアＤに取り付けた状態の上面図、図８はドアハンドルＨのプッシュ側とプル側のプレートの関係を示す説明図、図９はドアハンドルＨのプッシュ側のプレート側のプレートの分解斜視図、図１０はドアハンドルのプル側のプレート側分解斜視図を示している。
【００１３】
（このプッシュブル錠用のドアハンドルの構成について）
「全体の基本的構成」
この実施例のプッシュプル錠用のドアハンドルＨは、図１や図２に示すように、ハンドル本体１をプッシュプルすることにより、ラッチ5aを錠前５内に没入させて開錠させる形式のプッシュプル錠用のドアハンドルであって、ハンドル本体１が、ドアＤの開閉側近傍からドアＤの幅の少なくとも半分まで延びる棒状体により構成され、ハンドル本体１におけるドアＤの支点側部分は取り付け部材６を介してドアＤに取り付けられており、前記取り付け部材６に対するハンドル本体１の支点側部分の取り付けは、ドアＤの開閉側のハンドル本体１の動きを吸収できるようにしてある。
【００１４】
「ハンドル本体１のドアＤへの取り付けについて」
上記ハンドル本体１のドアＤへの取り付けは、図２や図７に示すように、ハンドル本体１に取り付けられた取付足金具２と、前記取付足金具２に固定されたプレート３，４とを介して行われる。ここで、前記プレート３，４はドアＤの表面に取り付けられていると共にドアＤの中には錠前５が取り付けられており、ハンドル本体１をドアＤに対してプッシュプルすることによりラッチ5aを錠前５のケーシング5b内に没入可能としている。
【００１５】
「ハンドル本体１について」
ハンドル本体１は、図１、図３、図４に示すように、楕円棒（その他、丸棒等）により構成されており、その長さはドアＤの面の横幅寸法の８０％（５０％〜９０％の範囲で使用可能）としてある。
【００１６】
ここで、図２、図３に示すように、このハンドル本体１のドアＤの開閉側には、ハンドル本体１の長さ方向に対して直角方向であって上方向（下部は開口しない）に開口する円孔１０を設けており、さらに、ドアＤ面側に取付足金具２が挿脱できる空隙を形成している。
【００１７】
また、図４〜図６に示すように、このハンドル本体１のドアＤの支点側には、ハンドル本体１の長さ方向に対して直角方向であって上方向（下部は開口しない）に開口する長孔１２を設けており、さらに、ドアＤ面側に後述する支持部６３が挿脱及びハンドル長手方向にスライドできる空隙を形成している。
【００１８】
「取付足金具２について」
取付足金具２は、図２や図３に示すように、Ｌ字状の縦板２０に構成されていると共に前記縦板２０の最外部近傍に孔２１を形成してあり、前記孔２１と上記孔１０とを対向させた状態において、これら孔２１、１０にピンＰを挿通させるようにしてハンドル本体１と取付足金具２とを一体化してある。したがって、取付足金具２に対してハンドル本体１は揺動できるような構造となっている。
【００１９】
「プレート３、４について」
プレート３はハンドル本体１を押したときにラッチ5aを没入可能とするプッシュ側のものであり、プレート４はハンドル本体１を引いたときにラッチ5a
を没入可能とするものであり、これらスペーサーはドアＤに取り付けられたとき、図８に示すように、２本のジョイントスペーサー６により連結される。なお、プレート３，４とジョイントスペーサ６は、ネジ７で固定される。
【００２０】
次に、図９によりプッシュ側のプレート３の構造を説明する。
【００２１】
プッシュ側のプレート３は、ドアＤの表面に取り付けられた固定プレート30と、ドアＤの表面に平行（地面に対し水平方向）に設けられた心棒31により固定プレート30に揺動自在に取り付けられた揺動プレート32とを有しており、揺動プレート32はドアハンドルの取付足金具２を取り付け可能になっている。そのため、ハンドル本体１を押すと、心棒31を中心として揺動プレート32が揺動するようになっている。
【００２２】
さらに詳しく説明すると、固定プレート30は長方形をしており、長辺方向を縦にしてドアＤの表面に取り付けられる。固定プレート30の底面には地面に対し水平方向に設けた立ち壁30a,30b が上下に形成されており、そこにはそれぞれ二つ穴が形成されており、一方の穴30cは、心棒31を挿通するための穴であり、他方の穴30dは、ドア面垂直方向に長い長穴となっており、可動心棒33を挿通するための穴となっている。前記立ち壁30a,30b の間は、後述する押金34の先を挿通する穴となっている。
【００２３】
揺動プレート32は、固定プレート30を覆う大きさに形成されており、揺動プレート32の固定プレート30側面には固定プレート30の立ち壁30a,30b の外側に沿うように二つ立ち壁32a,32b が上下に形成され、そこにはそれぞれ二つ穴32c,32dが形成されている。
【００２４】
一方の穴32cは、心棒31を挿通するための穴であり、他方の穴32dは、可動心棒33を挿通するための穴となっている。
【００２５】
可動心棒33は、固定プレート30の穴30d を移動することにより、揺動プレート32が必要以上に揺動しないように揺動角度を制限する役割をしている。
【００２６】
押金34は、直交する二つ矩形片からなる略Ｌ字形をしており、一方の矩形片は端に穴が形成されており、その穴には心棒31が挿通されるようになっており、さらに揺動プレート32側の面が揺動プレート32に接するようになっている。またさらに、他方の矩形片の先端は、錠前５の操作部5cを押して摺動させるようになっている。
【００２７】
心棒31に挿通されて押金34の両側に設けられたパイプ35,36 は、押金34の位置を決めるためのスペーサである。
【００２８】
符号37,38 は、ハンドル本体１を押して揺動プレート32が揺動した後、揺動プレート32を元の位置に戻すためのバネである。
【００２９】
符号39は、化粧プレートであり、固定プレート30と揺動プレート32を覆うようになっている。
【００３０】
符号21は、取付足金具２を取り付けるための円筒形のコロであり、コロ21の中心を挿通するボルト・ナットにより揺動プレート32及び化粧プレート39に固定される。
【００３１】
次に、図１０によりプッシュ側と反対側に取り付けられたプル側のプレート４の構造を説明する。
【００３２】
プル側のプレート４は、ドアＤの表面に取り付けられた固定プレート40と、ドアＤの表面に平行且つ垂直方向に設けられた心棒41により固定プレート40に揺動自在に取り付けられた揺動プレート42とを有しており、揺動プレート42はドアハンドルの取付足金具２を取り付け可能になっている。そのため、ハンドル本体１を引くと、心棒41を中心として揺動プレート42が揺動するようになっている。さらに詳しく説明すると、固定プレート40は長方形をしており、長辺方向を縦にしてドアＤの表面に取り付けられる。固定プレート40の底面には地面に対し水平方向に設けた立ち壁40a,40b が上下に形成されており、そこにはそれぞれ二つ穴が形成されており、一方の穴40cは、心棒41を挿通するための穴であり、他方の穴40dは、ドア面垂直方向に長い長穴となっており、可動心棒43を挿通するための穴となっている。前記立ち壁40a,40b の間は、後述する押金44の先を挿通する穴となっている。
【００３３】
揺動プレート42は、固定プレート40を覆う大きさに形成されており、揺動プレート42の固定プレート40側面には固定プレート40の立ち壁40a,40b の内側に沿うように二つ立ち壁42a,42b が上下に形成され、そこにはそれぞれ二つ穴42c,42dが形成されている。
【００３４】
一方の穴42cは、心棒41を挿通するための穴であり、他方の穴42dは、可動心棒43を挿通するための穴となっている。
【００３５】
可動心棒43は、固定プレート40の穴40d を移動することにより、揺動プレート42が必要以上に揺動しないように揺動角度を制限する役割をしている。
【００３６】
押金44は、直交する二つ矩形片からなる略Ｌ字形をしており、一方の矩形片は端に穴が形成されており、その穴には心棒41が挿通されるようになっており、さらに揺動プレート42側の面が揺動プレート42に接するようになっている。またさらに、他方の矩形片の先端は、錠前５の操作部5cを押して摺動させるようになっている。
【００３７】
心棒41に挿通されて押金44の両側に設けられたパイプ45,46 は、押金44の位置を決めるためのスペーサである。
【００３８】
符号47,48 は、ハンドル本体１を引いて揺動プレート42が揺動した後、揺動プレート42を元の位置に戻すためのバネである。
【００３９】
符号49は、化粧プレートであり、固定プレート40と揺動プレート42を覆うようになっている。
【００４０】
符号22は、取付足金具２を取り付けるためのネジであり、揺動プレート42と化粧プレート49を固定する役割もしている。
【００４１】
以上が、各構成部品の説明であり、プッシュ側のハンドル本体１を押すと、図７に示すように、心棒31を中心として揺動プレート32が揺動し、それにつれて押金34の先が図示反時計廻りに回動する。すると、錠前５のケーシング5b内の操作部5cが図示左側に移動し、ラッチ5aが反転後退可能となる。
プル側のハンドル本体１を引くと、図７に示すように、心棒41を中心として揺動プレート42が揺動し、それにつれて押金44の先が図示時計廻りに回動する。すると、錠前５のケーシング5b内の操作部5cが図示右側に移動し、ラッチ5aが反転後退可能となる。
【００４２】
以上が実施例であり、本発明はハンドル本体１をプッシュプルして揺動プレート32,42 を揺動させ、押金34,44 を揺動させることにより、錠前５を開錠可能としたことを特徴としている。
【００４３】
「錠前５について」
錠前５は、所謂反転式ラッチ錠であり、摺動する操作部5cを有しており、操作部5cの僅かな移動でラッチ5aが反転後退可能状態となる市販されている公知のものを採用してある。
【００４４】
「取り付け部材６」
取り付け部材６は、図１、図４、図５、図６に示すように、ドアＤの内外面に取り付けるための位置決めピン６１を有した取付部６０（ドアＤにビス６９で取り付けられている）と、ハンドル本体１に取付けるための凸状の受け部６２とを有するものであり、これらに対するドアＤへの取付け状態ではハンドル本体１は水平状態であると共にドアＤ面に対して一定間隔で平行配置されている。
【００４５】
ここで、ハンドル本体１に取り付けるための受け部６２には、図１、図５、図６に示すように、その上面中央面部に長孔６４が形成された支持部６３を設けてある。
【００４６】
したがって、取り付け部材６に対してハンドル本体１はその長さ方向に前後動できるような構造となっている。
（このプッシュブル錠用のドアハンドルの優れた効果について）
上記した発明のプッシュプル錠用のドアハンドルは、以下のような機能を有する。
【００４７】
このドアハンドルは、少ない範囲のプッシュプル操作によりドアＤを開閉できることから、ハンドル本体１を掴んで回すことが困難である高齢者でも円滑にドアの開閉ができる。  
また、このドアハンドルは、ハンドルを掴まなくてもドアを開くことができる。すなわち、ハンドル本体１が、ドアＤの開閉側近傍からドアＤの幅の少なくとも半分まで延びる棒状体により構成され、ハンドル本体１におけるドアＤの支点側部分は取り付け部材８を介してドアＤに取り付けられており、前記取り付け部材８に対するハンドル本体１の支点側部分の取り付けは、ドアＤの開閉側のハンドル本体１の動きを吸収できるようにしてあるから、プッシュ側においては、ハンドルとなる棒状体に身体を押し当てるだけで、ドアＤを開状態にでき、また、プル側においては腕や肘を棒状体とドアＤ面との間に挿入し、その状態を維持しつつ引き出すだけで、ドアを開状態にできる。しかも、ハンドルとなる棒状体は両端支持されてドアにしっかりと取付けられているから、上記のような使用態様でも短期間で損傷するようなことはない。
【００４８】
以上のように、このドアハンドルでは、上述内容から、高齢者や目の不自由な人であっても、円滑にドアの開閉をすることができることになる。
【実施例２】
【００４９】
図１１は実施例２におけるプッシュブル錠用のドアハンドルＨの平面図、図１２は前記プッシュブル錠用におけるドアハンドルＨの開閉部近傍の詳細図、図１３はハンドル本体１と取付足金具２とプッシュ側プレート３（プル側プレート４）を連結した状態の一部断面図を示している。
【００５０】
（このプッシュブル錠用のドアハンドルの構成について）
「全体の基本的構成等」
この実施例のプッシュプル錠用のドアハンドルＨ´は、図１１〜図１４に示すように、ハンドル本体１´をプッシュプルすることにより、ラッチ5aを錠前５内に没入させて開錠させる形式のプッシュプル錠用のドアハンドルにおいて、ハンドル本体１´が、ドアＤの開閉側近傍からドアＤの幅の少なくとも半分まで延びる棒状体により構成され、ハンドル本体１´におけるドアＤの支点側部分は取り付け部材８´を介してドアＤに取り付けられており、ハンドル本体１におけるドアＤの開閉側近傍と支点側部分は、当該ドアＤに対して平行運動機構を構成している。
【００５１】
なお、図１や図２に示すように、錠前５、ラッチ５ａ、並びにプッシュ側のプレート３、プル側のプレート４は、上記実施例１と全く同様のものを使用している。
【００５２】
「ハンドル本体１のドアＤへの取り付けについて」
この実施例では、図１〜図３に示すように、化粧プレート３９に取付足金具２´を水平となる方向に取り付け、他方、ハンドル本体１´側にブラケット１４を水平となる方向に設け、前記取付足金具２´とブラケット１４との重なり部に設けられた共通孔１５に、鉛直方向に延びる縦ピン１５を差し込んでいる。
つまり、ヒンジ構造となっているのである。したがって、取付足金具２´とブラケット１４は縦ピン１５を介して回動自在となっている。このことは、プル側プレート４側においても同様である。
【００５３】
また、この実施例では、ハンドル本体１´におけるドアＤの支点側部分の取り付け部材８´においても、上記と同様と構成を採用している。
【００５４】
即ち、この実施例のプッシュプル錠用のドアハンドルでは、図１に示すように、ドアＤに対してハンドル本体１´は平行運動機構を構成している。
【００５５】
（このプッシュブル錠用のドアハンドルの優れた効果について）
上記した発明のプッシュプル錠用のドアハンドルは、上記実施例１と同様の効果を奏し、高齢者や目の不自由な人であっても、円滑にドアの開閉をすることができることになる。
【図面の簡単な説明】
【００５６】
【図１】実施例１におけるプッシュブル錠用のドアハンドルＨの平面図。
【図２】前記プッシュブル錠用におけるドアハンドルＨの開閉部近傍の詳細図。
【図３】図２のＡ−Ａ断面図。
【図４】図１のＢ−Ｂ断面図。
【図５】ドアに設けた取り付け部材の側面図。
【図６】ドアに設けた取り付け部材の上面図。
【図７】ドアハンドルをドアに取り付けた状態の上面図。
【図８】ドアハンドルのプッシュ側とプル側のプレートの関係を示す説明図。
【図９】ドアハンドルのプッシュ側のプレート側のプレートの分解斜視図。
【図１０】ドアハンドルのプル側のプレート側分解斜視図。
【図１１】実施例２におけるプッシュブル錠用のドアハンドルの平面図。
【図１２】前記プッシュブル錠用におけるドアハンドルの開閉部近傍の詳細図。
【図１３】ハンドル本体と取付足金具とプッシュ側プレート（プル側プレート）を連結した状態の一部断面図。
【符号の説明】
【００５７】
Ｈ        ドアハンドル
Ｄ        ドア
１        ハンドル本体
２        取付足金具
３        プッシュ側のプレート
４        プル側のプレート
５        錠前
5a      ラッチ
６        取り付け部材
【図１】
0005168479.tif 000002
【図２】
0005168479.tif 000003
【図３】
0005168479.tif 000004
【図４】
0005168479.tif 000005
【図５】
0005168479.tif 000006
【図６】
0005168479.tif 000007
【図７】
0005168479.tif 000008
【図８】
0005168479.tif 000009
【図９】
0005168479.tif 000010
【図１０】
0005168479.tif 000011
【図１１】
0005168479.tif 000012
【図１２】
0005168479.tif 000013
【図１３】
0005168479.tif 000014